【事件の表示】
　特願２００９−　　１０８８「画像再生装置および画像処理装置」拒絶査定不服審判事件〔平成２２年　７月２２日出願公開、特開２０１０−１６０５７６〕について、次のとおり審決する。
【結　論】
　本件審判の請求は、成り立たない。
【理　由】
第１　手続きの経緯・本願発明
　本願は、平成２１年１月６日の出願であり、平成２４年３月２３日付けで拒絶査定がなされ、それに対して同年４月２７日に拒絶査定不服の審判請求がなされたものであって、その請求項１に係る発明は、平成２３年１０月２４日に提出された手続補正書により補正された明細書及び図面の記載からみて、その特許請求の範囲の請求項１に記載された次のとおりのものと認める。（以下、「本願発明」という。）
「画像再生手段により符号化データを復号されて得られる動画像データと、当該動画像データとともに前記画像再生手段が出力する画像データであって前記動画像データに対する各種処理操作をユーザに提供するための操作画像データとを含む第１の表示画像データを、高解像度化するための画像処理を施して第２の表示画像データとして表示可能に出力する画像処理手段と、
　前記画像処理手段が出力する前記第２の表示画像データに対するポインタイベントを検知するイベント検知手段と、
　前記ポインタイベントが検知された場合、該ポインタイベントに含まれる座標位置情報を前記第１の表示画像データ上の座標位置情報に変換する座標位置情報変換手段と、
　該座標位置情報変換後の前記ポインタイベントを前記画像再生手段に出力するイベント出力手段と、
を備えることを特徴とする画像再生装置。」
　　　
第２　引用文献
（１）原査定の拒絶の理由に引用された特開２００１−１４２６４５号公報（以下、「引用文献１」という。）には、図面とともに次の記載がある。
（ア）「【０００１】
【発明の属する技術分野】本発明は、画像デ−タを含む情報を処理して表示情報を出力する情報処理部と、表示モードの指定に基づいて表示モード情報記憶部から対応した表示モード情報を読み出し、この表示モード情報で情報処理部から出力した表示情報を制御して表示パネルで対応した表示モードの画像を表示する表示部と、表示パネルに装着され、対象物（ペンや指）で指示された位置の座標値を検出するタッチパネルとを具備したタッチパネル付き画像表示装置に関するものである。
【０００２】
【従来の技術】一般にこの種のタッチパネル付き画像表示装置は、情報処理部から出力した表示情報（例えば映像信号）のアスペクト比（縦横比）と、表示部の表示パネルのアスペクト比が相違する場合、表示部側の操作によって表示パネルの表示モードを適宜に変更し、この表示モードで表示情報の画像が表示される。例えば、表示部の表示パネルがアスペクト比１６：９のＰＤＰ（プラズマディスプレイパネル）で、このＰＤＰでパーソナルコンピュータ（情報処理部の一例）側から出力したアスペクト比４：３のカラー映像信号（例えばＮＴＳＣ方式のカラー映像信号）の画像を表示する場合、表示モードの指定によって、図８の（ａ）、（ｂ）又は（ｃ）に示すようなノーマルモード、ワイドモード又はズームモードによる画像表示がなされる。
【０００３】ノーマルモードは、ワイド画面（１６対９）の中央に４対３の画面をそのまま映し出し、両側のハッチング部分を非表示とする表示モードを表す。ワイドモードは、ワイド画面一杯に４対３の画面を引き延ばして映し出す表示モードを表す。ズームモードは、真円率を保持してワイド画面の左右一杯に４対３の画面を引き延ばして映し出す表示モードを表す。
【０００４】また、パーソナルコンピュータから出力した表示情報を制御して表示パネルで所定表示モードの画像を表示する表示部と、この表示部の表示パネルに装着されたタッチパネルとを具備し、このタッチパネルによって対象物で指示された位置の座標値を検出して情報処理部へ出力するタッチパネル付き画像表示装置では、パーソナルコンピュータ側においてタッチパネルでの検出座標値がどの表示モードに対応しているのか判らないので、タッチパネルの検出座標値がパーソナルコンピュータで情報処理に用いられる表示座標値と一致せず、表示モード毎にずれることがあるという問題があった。このような問題をなくすため、従来、ユーザは表示パネルの表示モードを切り替える度に、キャリブレーションモードに設定して座標値合わせを行っていた。」（段落【０００１】〜【０００４】）
　　
（イ）「【００１３】
【発明の実施の形態】以下、本発明によるタッチパネル付き画像表示装置の一実施形態例を図１を用いて説明する。図１において、１０は情報処理部の一例としてのパーソナルコンピュータ（以下単にパソコン又はＰＣと記述する。）、１２は表示モードの変更可能な表示部、１４はタッチパネルである。
【００１４】前記パソコン１０はＭＰＵ（マイクロプロセッサユニット）１６及びグラフィックＬＳＩ（大規模集積回路）１８を具備する。
【００１５】前記ＭＰＵ１６は、プログラムＲＯＭ（リードオンリメモリ）（図示を省略）に格納されたプログラムに基づき、次の(1)(2)(3)に示す機能を達成するための制御を行う。
【００１６】(1)画像用デ−タを格納したＲＯＭ（図示を省略）や外部情報源（図示を省略）から画像用デ−タを取り込んで解釈するとともに、タッチパネル１４での検出座標値を取り込んで解釈し、グラフィックＬＳＩ１８を駆動する機能。例えば、タッチパネル１４での検出座標値をもとにカーソル表示やプログラム起動などの制御をするために、グラフィックＬＳＩ１８を駆動する機能。
【００１７】(2)前記グラフィックＬＳＩ１８から出力する水平同期信号Ｈ１、垂直同期信号Ｖ１の有無を判別し、同期信号Ｈ１、Ｖ１無しと判別したときにタッチパネル１４での検出座標値が入力するのを阻止する判別・阻止機能。
【００１８】(3)パソコン１０が動作可能な状態であるか否かを判別し、動作可能な状態でないと判別したときにタッチパネル１４での検出座標値が入力するのを阻止する判別・阻止機能。
【００１９】前記グラフィックＬＳＩ１８は、ＭＰＵ１６の取り込んだ画像用デ−タやＲＯＭ内の画像用デ−タにアクセスして取り込むビデオディスプレイプロセッサ部と、画像用デ−タにアクセスし、そのデ−タの一部を取り込み、その取り込んだデ−タに基づきビデオディスプレイプロセッサ部を制御する小型プロセッサ部とを具備し、表示情報としてのアナログのＲ（赤）、Ｇ（緑）、Ｂ（青）信号（カラー映像信号）と水平同期信号Ｈ１及び垂直同期信号Ｖ１を出力する。
【００２０】前記表示部１２は、Ａ／Ｄ（アナログ／ディジタル）変換器２０、フレームメモリ２２、書込み制御部２４、読出し制御部２６、入力部２８、表示モード情報記憶部３０、表示制御部３２、画素補間部３４、表示パネル３６及び表示用同期信号生成部３８を具備している。
【００２１】前記Ａ／Ｄ変換器２０は、前記パソコン１０から出力したアナログのＲ、Ｇ、Ｂ信号をディジタルのＲ、Ｇ、Ｂ信号に変換して出力する。前記フレームメモリ２２は、前記Ａ／Ｄ変換器２０から出力したＲ、Ｇ、Ｂ信号をそれぞれ１フレーム分記憶する。前記書込み制御部２４は、前記パソコン１０から出力した同期信号Ｈ１、Ｖ１を書込用の基準信号として、前記Ａ／Ｄ変換器２０から出力したＲ、Ｇ、Ｂ信号の前記フレームメモリ２２への書き込みを制御する。前記読出し制御部２６は、表示用の水平同期信号Ｈ２、垂直同期信号Ｖ２を読出用の基準信号として前記フレームメモリ２２からＲ、Ｇ、Ｂ信号を読み出す制御を行う。
【００２２】前記入力部２８は、キーボードやマウスなどからなり、複数の表示モードのうちの任意の表示モードを択一的に指定可能な表示モード指定部、オフセット値入力部を形成する。前記表示モード情報記憶部３０には、複数の表示モードのそれぞれに対応した読出位置情報ＴＩ及び倍率情報ＢＲ（表示モード情報の一例）が予め記憶されている。前記表示制御部３２は、前記入力部２８からの表示モード指定信号に基づいて前記表示モード情報記憶部３０から対応した読出位置情報ＴＩ及び倍率情報ＢＲを出力する。前記画素補間部３４は、前記表示制御部３２から出力した倍率情報ＢＲに基づいて、前記フレームメモリ２２から読み出されたＲ、Ｇ、Ｂ信号に対する画素補間処理を行う。例えば倍率情報ＢＲが垂直方向に４／３倍する情報のときには、線形補間方式により、３ライン分の水平映像信号から４ライン分の水平映像信号を生成する。
【００２３】前記表示パネル３６は、前記画素補間部３４から出力したＲ、Ｇ、Ｂ信号に基づいて対応した表示モードの画像を表示する。前記表示用同期信号生成部３８は、前記表示制御部３２から出力した読出位置情報ＴＩに基づいて表示用の水平同期信号Ｈ２と垂直同期信号Ｖ２とを生成し、前記読出し制御部２６へ出力する。
【００２４】前記タッチパネル１４はタッチパネルセンサ４０とタッチパネル制御部４２とを具備している。前記タッチパネルセンサ４０は前記表示パネル３６に重ね合わせて装着され、ペンや指などの対象物で指示された位置情報を検出する。前記タッチパネル制御部４２は、プログラムＲＯＭ（図示を省略）に格納されたプログラムに基づき、次の(1)(2)(3)に示す機能を達成するための制御を行う。
【００２５】(1)前記タッチパネルセンサ４０で検出された位置情報に基づいてタッチパネルセンサ４０上の座標値を求める機能。
【００２６】(2)前記表示制御部３２から出力した読出位置情報ＴＩに基づいて前記表示パネル３６における表示画像の位置ずれを補正するためのオフセット値を出力する表示位置調整機能。
【００２７】(3)前記表示制御部３２から出力した読出位置情報ＴＩと倍率情報ＢＲに基づいて、前記(1)で求めたタッチパネルセンサ４０上の検出座標値に対する補正を行うとともに、前記(2)の機能で求めたオフセット値を加減算し、表示座標値として前記パソコン１０のＭＰＵ１６へ出力する座標値補正機能。」（段落【００１３】〜【００２７】、なお、丸数字は(数字)で示した。）
　　
（ウ）「【００２８】つぎに、図１の作用を図２、図３を併用して説明する。説明の便宜上、パソコン１０側から表示部１２のＡ／Ｄ変換器２０に入力するＲ、Ｇ、Ｂ信号（カラー映像信号）のアスペクト比が４：３、表示パネル３６のアスペクト比が１６：９で、アスペクト比が合わない組み合わせであって、入力部２８で指定された表示モードがズームモードの場合について説明する。
【００２９】（１）パソコン１０では、ＭＰＵ１６が、その機能(1)によって画像用デ−タを取り込んで解釈するとともに、タッチパネル１４での検出座標値を取り込んで解釈し、グラフィックＬＳＩ１８を駆動する。例えば、タッチパネル１４での検出座標値をもとにしてカーソル表示やプログラム起動などの制御をするために、グラフィックＬＳＩ１８を駆動する。グラフィックＬＳＩ１８では、ＭＰＵ１６の取り込んだ画像用デ−タや、ＲＯＭ内又は外部情報源の画像用デ−タにアクセスして画像用デ−タを取り込み、その取り込んだデ−タに基づき対応したアナログのＲ、Ｇ、Ｂ信号及び同期信号Ｈ１、Ｖ１を出力する。
【００３０】（２）パソコン１０から出力したＲ、Ｇ、Ｂ信号が表示部１２に入力すると、このＲ、Ｇ、Ｂ信号はＡ／Ｄ変換器２０でディジタルのＲ、Ｇ、Ｂ信号に変換され、書込み制御部２４で書き込み制御されるフレームメモリ２２に書き込まれる。この書き込まれたＲ、Ｇ、Ｂ信号の映像は、図２（ａ）に示すように、パソコン１０の表示座標とも一致する。
【００３１】（３）ついで、入力部２８でズームモードを表示モードとして指定すると、この指定信号に基づいて表示制御部３２が表示モード情報記憶部３０から対応した読出位置情報ＹＩ及び倍率情報ＢＲを読み出して出力する。
【００３２】（４）読出位置情報ＹＩが表示用同期信号生成部３８に入力すると、この表示用同期信号生成部３８で表示用同期信号Ｈ２、Ｖ２を生成して読出し制御部２６に入力するので、この読出し制御部２６の読み出し制御によってフレームメモリ２２からＲ、Ｇ、Ｂ信号が読み出され画素補間部３４へ出力する。このとき、読出し制御部２６は、図２（ａ）に示すように、フレームメモリ２２に対して読出位置情報ＹＩに対応した読み出し開始位置を指示する。
【００３３】（５）画素補間部３４は、フレームメモリ２２から読み出されたＲ、Ｇ、Ｂ信号に対して、倍率情報ＢＲに基づく線形補間方式を用いて、３ライン分の水平映像信号から４ライン分の水平映像信号を生成する。すなわち、図２（ａ）に示す書込み映像を垂直方向に４／３倍に拡大して同図（ｂ）に示すような読出し映像とするための映像信号を表示パネル３６に出力する。このため、表示パネル３６では図２（ｂ）に示すような読出し映像が表示される。この表示パネル３６の表示座標値は、表示パネル３６に重ね合わされたタッチパネルセンサ４０の検出座標値に相当する。
【００３４】（６）したがって、つぎの（７）に示す作用がないと、タッチパネル１４の検出座標値がパソコン１０から出力した映像信号（Ｒ、Ｇ、Ｂ信号）自体の画面座標値と一致せず、タッチパネル１４の検出座標値を補正せずにパソコン１０内のＭＰＵ１６へ出力すると、表示パネル３６の表示画面の予定外の座標値位置にカーソルを表示したり、予定外のコマンドを起動したりすることになる。
【００３５】（７）ここで、タッチパネル１４において、図３（ａ）に×印で示した位置を対象物で指示すると、まず、タッチパネルセンサ４０によって対象物で指示された位置の情報が検出される。ついで、タッチパネル制御部４２は、その座標値を求める機能(1)によってタッチパネルセンサ４０の検出位置情報から検出座標値を算出し、その表示位置調整機能(2)によって表示パネル３６における表示画像の位置ずれを補正するためのオフセット値を算出し、その座標値補正機能(3)によって、表示制御部３２から出力した読出位置情報ＴＩと倍率情報ＢＲに基づいて、前記(1)で求めたタッチパネルセンサ４０上の検出座標値に対する補正を行うとともに、前記(2)の機能で求めたオフセット値を加減算し、表示座標値としてパソコン１０のＭＰＵ１６へ出力する。このため、パソコン１０側では、タッチパネルセンサ４０での検出座標値が、図３（ｃ）に×印で示した座標値として扱われ、正しい対応関係とすることができる。」（段落【００２８】〜【００３５】、なお、丸数字は(数字)で示した。）
　　
　以上の記載によれば、この引用文献には、以下のような発明（以下、「引用発明」という。）が開示されていると認められる。
「パソコン１０側から表示部１２のＡ／Ｄ変換器２０に入力するＲ、Ｇ、Ｂ信号（カラー映像信号）のアスペクト比が４：３、表示パネル３６のアスペクト比が１６：９で、アスペクト比が合わない組み合わせであって、
　パソコン１０のＭＰＵ１６は、ＲＯＭ内又は外部情報源の画像用デ−タにアクセスして画像用デ−タを取り込んで解釈するとともに、タッチパネル１４での検出座標値を取り込んで解釈し、グラフィックＬＳＩ１８を駆動、例えば、タッチパネル１４での検出座標値をもとにカーソル表示やプログラム起動などの制御をするために、グラフィックＬＳＩ１８を駆動する機能を有し、
　パソコン１０のグラフィックＬＳＩ１８は、ＭＰＵ１６が取り込んだ画像用デ−タに基づき対応したアナログのＲ、Ｇ、Ｂ信号及び同期信号Ｈ１、Ｖ１を出力し、
　パソコン１０から出力したＲ、Ｇ、Ｂ信号が表示部１２に入力すると、このＲ、Ｇ、Ｂ信号はＡ／Ｄ変換器２０でディジタルのＲ、Ｇ、Ｂ信号に変換され、書込み制御部２４で書き込み制御されるフレームメモリ２２に書き込まれ、この書き込まれたＲ、Ｇ、Ｂ信号の映像は、パソコン１０の表示座標と一致し、
　入力部２８でズームモードを表示モードとして指定すると、この指定信号に基づいて表示制御部３２が表示モード情報記憶部３０から対応した読出位置情報ＹＩ及び倍率情報ＢＲを読み出して出力し、
　読出位置情報ＹＩが表示用同期信号生成部３８に入力すると、この表示用同期信号生成部３８で表示用同期信号Ｈ２、Ｖ２を生成して読出し制御部２６に入力するので、この読出し制御部２６の読み出し制御によってフレームメモリ２２からＲ、Ｇ、Ｂ信号が読み出され画素補間部３４へ出力し、
　画素補間部３４は、フレームメモリ２２から読み出されたＲ、Ｇ、Ｂ信号に対して、倍率情報ＢＲに基づく線形補間方式を用いて、３ライン分の水平映像信号から４ライン分の水平映像信号を生成、すなわち書込み映像を垂直方向に４／３倍に拡大して読出し映像とするための映像信号を表示パネル３６に出力し、
　表示パネル３６の表示座標値は、表示パネル３６に重ね合わされたタッチパネルセンサ４０の検出座標値に相当し、
　タッチパネル１４において、位置を対象物で指示すると、タッチパネルセンサ４０によって対象物で指示された位置の情報が検出され、タッチパネル制御部４２は、その座標値を求める機能によってタッチパネルセンサ４０の検出位置情報から検出座標値を算出し、その表示位置調整機能によって表示パネル３６における表示画像の位置ずれを補正するためのオフセット値を算出し、その座標値補正機能によって、表示制御部３２から出力した読出位置情報ＴＩと倍率情報ＢＲに基づいて、タッチパネルセンサ４０上の検出座標値に対する補正を行うとともに、求めたオフセット値を加減算し、表示座標値としてパソコン１０のＭＰＵ１６へ出力し、このため、パソコン１０側では、タッチパネルセンサ４０での検出座標値が、正しい対応関係とすることができるようにし、
　表示パネル３６の表示画面の予定外の座標値位置にカーソルを表示したり、予定外のコマンドを起動したりすることがないようにしたタッチパネル付き画像表示装置。」
　　　　
（２）原査定の拒絶の理由に引用された特開２００６−７９１６４号公報（以下、「引用文献２」という。）には、図面とともに次の記載がある。
「【００３３】
　画像処理部３６は、撮像部３５から入力される画像信号に所定の画像処理を施し、バス３３を介してディスプレイ３８に出力する。また画像処理部３６は、撮像部１５から入力された画像信号を圧縮符号化し、その結果得られる符号化データを記録部３７に出力する。この符号化データには撮影された画像信号のアスペクト比を示す情報が含まれているものとする。さらに、画像処理部３６は、記録部３７から入力される符号化データを伸長し、その結果得られる画像に、制御部３１からバス３３を介して入力される操作ボタンの画像を重畳してディスプレイ３８に出力する。また、記録部３７から入力される符号化データを伸長して得られる画像信号のアスペクト比を示す情報を制御部３１に出力する。
【００３４】
　記録部３７は、画像処理部３６から入力される符号化データを所定の記録媒体に記録する。また記録部３７は、所定の記録媒体に記録されている符号化データを読み出して画像処理部３６に出力する。
【００３５】
　ディスプレイ３８は、制御部３１からバス３３を介して入力される画像信号の画像を表示する。ディスプレイ３８に積層されているタッチパネル３９は、ディスプレイ３８の画面を透過するようになされており、ディスプレイ３８に表示された操作ボタン等を押下しようとするユーザの接触を検知して、ユーザによって接触された位置を示す座標情報を、バス３３を介して制御部３１に出力する。
【００３６】
　図４は、制御部３１の詳細な構成例を示している。アスペクト比監視部５１は、画像処理部３６から入力されるアスペクト比を示す情報に基づき、記録部３７により読み出され画像処理部３６によって再生される動画像のアスペクト比を判別するとともにその変更を監視する。画面表示制御部５２は、アスペクト比監視部５１によって判別されるアスペクト比に基づき、ディスプレイ３８に表示させる動画像の表示方法（アスペクト比が１６：９である場合、図１に示されたように画面全体に動画像を表示させ、アスペクト比が４：３である場合、図２に示されたように画面中央に設けた表示領域１１に動画像を表示させる等）に関して画像処理部３６を制御する。
【００３７】
　ボタン表示制御部５３は、アスペクト比監視部５１によって判別されるアスペクト比に基づき、ディスプレイ３８に重畳表示させる操作ボタンの画像データ（以下、ボタンデータとも記述する）を記録媒体３２から読み出してサイズを変更し、画像処理部３６に出力する。感知エリア設定部５４は、ディスプレイ３８に表示されている各操作ボタンが押下されたと判断すべきタッチパネル３９上の領域（感知エリア）を設定する。操作判定部５５は、タッチパネル３９からバス３３を介して入力される座標情報と、感知エリア設定部５４による設定に基づき、ユーザによって操作された操作ボタンを判定する。また、操作判定部５５は、押下された単発ボタン（後述）に対する処理が実行済であるときオンとされ、未実行であるときオフとされるボタン対処フラグを保持している。コマンド生成部５６は、操作判定部５５による判定結果に対応するコマンド信号を生成し、バス３３を介して対応する部位に出力する。
・・・中略・・・
【００３９】
　第１のボタン対応処理について図５のフローチャートを参照して説明する。この第１のボタン対応処理は、記録部３７により所定の記録媒体から動画像の符号化データが読み出され、読み出された符号化データが画像処理部３６により再生され、再生された動画像に操作ボタンの画像が重畳されてディスプレイ３８に表示されたとき、すなわち、図１または図２に示されたような画面が表示されたときに開始される。
【００４０】
　ステップＳ１において、アスペクト比監視部５１は、画像処理部３６から入力される、再生中の動画像のアスペクト比を示す情報に基づき、再生中の動画像にアスペクト比の変更が発生したか否かを判定する。再生中の動画像にアスペクト比の変更が発生したと判定された場合、処理はステップＳ２に進む。ステップＳ２において、ボタン表示制御部５３は、記録媒体３２から操作ボタンの画像データであるボタンデータを読み出し、ステップＳ３において、表示される操作ボタンのサイズが変更後のアスペクト比に対応するように、ボタンデータを変更し、バス３３を介して画像処理部３６に出力する。」（段落【００３３】〜【００４０】）
　　
第３　対比
　本願発明と引用発明とを対比する。
（ア）引用発明の「パソコン１０」の「ＭＰＵ１６が」取り込む「ＲＯＭ内又は外部情報源の画像用デ−タ」は、本願発明の「符号化データ」に相当し、引用発明の「パソコン１０」の「グラフィックＬＳＩ１８が、その取り込んだデ−タに基づき」出力する「対応したアナログのＲ、Ｇ、Ｂ信号」は、本願発明の「符号化データを復号されて得られる動画像データ」と「符号化データを復号されて得られる画像データ」である点で共通するといえる。
　　
（イ）引用発明は、「パソコン１０から出力したＲ、Ｇ、Ｂ信号が表示部１２に入力すると、このＲ、Ｇ、Ｂ信号はＡ／Ｄ変換器２０でディジタルのＲ、Ｇ、Ｂ信号に変換され、書込み制御部２４で書き込み制御されるフレームメモリ２２に書き込まれ、この書き込まれたＲ、Ｇ、Ｂ信号の映像は、パソコン１０の表示座標と一致」しているから、引用発明の「フレームメモリ２２に書き込まれた」「Ｒ、Ｇ、Ｂ信号の映像」は、本願発明の「動画像データと、当該動画像データとともに前記画像再生手段が出力する画像データであって前記動画像データに対する各種処理操作をユーザに提供するための操作画像データとを含む第１の表示画像データ」と「画像データを含む第１の表示画像データ」である点で共通するといえる。
　そして、引用発明の「パソコン１０」は、本願発明の「画像再生手段」と「符号化データを復号」し「画像データ」を得るものであって、「画像データを含む第１の表示画像データ」を出力している点で共通するといえる。
　　
（ウ）引用発明の「入力部２８でズームモードを表示モードとして指定すると、この指定信号に基づいて表示制御部３２が表示モード情報記憶部３０から対応した読出位置情報ＹＩ及び倍率情報ＢＲを読み出して出力し、読出位置情報ＹＩが表示用同期信号生成部３８に入力すると、この表示用同期信号生成部３８で表示用同期信号Ｈ２、Ｖ２を生成して読出し制御部２６に入力するので、この読出し制御部２６の読み出し制御によってフレームメモリ２２からＲ、Ｇ、Ｂ信号が読み出され画素補間部３４へ出力し、画素補間部３４は、フレームメモリ２２から読み出されたＲ、Ｇ、Ｂ信号に対して、倍率情報ＢＲに基づく線形補間方式を用いて、３ライン分の水平映像信号から４ライン分の水平映像信号を生成、すなわち書込み映像を垂直方向に４／３倍に拡大して読出し映像とするための映像信号を表示パネル３６に出力」する構成は、本願発明の「第１の表示画像データを、高解像度化するための画像処理を施して第２の表示画像データとして表示可能に出力する画像処理手段」と「第１の表示画像データを、解像度を変更するための画像処理を施して第２の表示画像データとして表示可能に出力する画像処理手段」の点で共通するといえる。
　　
（エ）引用発明の「表示パネル３６の表示座標値は、表示パネル３６に重ね合わされたタッチパネルセンサ４０の検出座標値に相当し、タッチパネル１４において、位置を対象物で指示すると、タッチパネルセンサ４０によって対象物で指示された位置の情報が検出され、タッチパネル制御部４２は、その座標値を求める機能によってタッチパネルセンサ４０の検出位置情報から検出座標値を算出」する構成は、「ＭＰＵ１６は、」「タッチパネル１４での検出座標値を取り込んで解釈し、グラフィックＬＳＩ１８を駆動、例えば、タッチパネル１４での検出座標値をもとにカーソル表示やプログラム起動などの制御をするために、グラフィックＬＳＩ１８を駆動する」ことを考慮すると、本願発明の「前記画像処理手段が出力する前記第２の表示画像データに対するポインタイベントを検知するイベント検知手段」に相当するといえる。
　　
（オ）引用発明の「表示位置調整機能によって表示パネル３６における表示画像の位置ずれを補正するためのオフセット値を算出し、その座標値補正機能によって、表示制御部３２から出力した読出位置情報ＴＩと倍率情報ＢＲに基づいて、タッチパネルセンサ４０上の検出座標値に対する補正を行うとともに、求めたオフセット値を加減算し、表示座標値としてパソコン１０のＭＰＵ１６へ出力」する構成は、本願発明の「前記ポインタイベントが検知された場合、該ポインタイベントに含まれる座標位置情報を前記第１の表示画像データ上の座標位置情報に変換する座標位置情報変換手段と、該座標位置情報変換後の前記ポインタイベントを前記画像再生手段に出力するイベント出力手段」に相当するといえる。
　　
　したがって、本願発明の用語を用いて表現すると両者は、
「画像再生手段により符号化データを復号されて得られる画像データを含む第１の表示画像データを、解像度を変更するための画像処理を施して第２の表示画像データとして表示可能に出力する画像処理手段と、
　前記画像処理手段が出力する前記第２の表示画像データに対するポインタイベントを検知するイベント検知手段と、
　前記ポインタイベントが検知された場合、該ポインタイベントに含まれる座標位置情報を前記第１の表示画像データ上の座標位置情報に変換する座標位置情報変換手段と、
　該座標位置情報変換後の前記ポインタイベントを前記画像再生手段に出力するイベント出力手段と、
を備えることを特徴とする画像再生装置。」
で一致するものであり、次の（１）、（２）の点で相違している。
　　
（１）解像度を変更するための画像処理を施して第２の表示画像データとして表示可能に出力するための「第１の表示画像データ」が、本願発明では、「画像再生手段により符号化データを復号されて得られる動画像データと、当該動画像データとともに前記画像再生手段が出力する画像データであって前記動画像データに対する各種処理操作をユーザに提供するための操作画像データとを含む」のに対して、引用発明では、「ＲＯＭ内又は外部情報源の画像用デ−タにアクセスして」「取り込んだ画像用データ」に基づいた「Ｒ、Ｇ、Ｂ信号の映像」が、動画像データと動画像データに対する各種処理操作をユーザに提供するための操作画像データとを含むことは記載されていない点。　　
　　
（２）本願発明は、「第１の表示画像データを、高解像度化するための画像処理を施して第２の表示画像データとして表示可能に出力する画像処理手段」を備えるのに対して、引用発明は、「画素補間部３４は、フレームメモリ２２から読み出されたＲ、Ｇ、Ｂ信号に対して、倍率情報ＢＲに基づく線形補間方式を用いて、３ライン分の水平映像信号から４ライン分の水平映像信号を生成、すなわち書込み映像を垂直方向に４／３倍に拡大して読出し映像とするための映像信号を表示パネル３６に出力」しているが、「高解像度化するための画像処理」であることは明記されていない点。　　　
　　　
第４　当審の判断
・相違点（１）について
　引用文献２には、画像処理部によって再生される動画像とともに当該動画像データに対する各種処理操作をユーザに提供するための操作ボタンの画像データを出力して画面に表示する技術が記載されている。
　また、動画像再生表示装置において、動画像とともに当該動画像データに対する各種処理操作をユーザに提供するためのＵＩ画像を出力して画面に表示することは、本願出願日前周知の技術（例えば、特開平１０−１２４０２１号公報段落【０００５】〜【０００６】「ところで、現状のパーソナルコンピュータ等においては、グラフィクス表示規格としてアスペクト比４：３に対応する解像度（水平画素数×垂直画素数に相当する）のみが存在し、アスペクト比１６：９に対応するグラフィクス表示規格は定められていない。このため、例えば、前述したコンピュータ装置やコンピュータ用のＯＳをベースとするようなマルチメディア機器等においては、アスペクト比４：３の有効表示画面による画像出力のみが行われることになる。そして、このようなコンピュータ装置やマルチメディア機器と、上記したアスペクト比１６：９の表示画面を備えるようなマルチメディア対応モニタ装置とによりシステムを組んだ場合、・・・中略・・・そして、例えばグラフィック表示としてアスペクト比１６：９に対応する解像度と、アスペクト比４：３に対応する解像度との設定切換えなどが実現されたとして、この場合に、ユーザインターフェイスのための画像（以下単に「ＵＩ(User Interface)画像」ともいう）として、アスペクト比４：３の解像度に対応して設定されたＵＩ画像データを、アスペクト比１６：９に対応する解像度に基づく表示時においてもそのまま利用したとすると、アスペクト比４：３の解像度に基づく表示時の場合よりも、有効表示領域全体を占めるＵＩ画像が相対的に小さなものとなってしまい、ユーザに違和感を与えることにもつながる。そこで、ＵＩ画像データについて、アスペクト比１６：９用の解像度に対応して、例えば横幅を拡張するようにして画像処理を施して表示することも考えられるが、この場合にはＵＩ画像が例えば横方向に拡がるようにして歪むことになり、ＵＩ画像の見た目が変わると共に、ＵＩ画像自体の解像感が粗く見えてしまうことにもなって、例えばＵＩ画像としてのデザイン上の美観を損なうことにもなるため、好ましいことではない。このため、アスペクト比１６：９に対応する解像度設定時と、アスペクト比４：３に対応する解像度設定時とで、それぞれに適合するＵＩ画像を表示出力できるようにすることが求められることになるが、この際、画像処理の負担も軽減されることが好ましい。」の記載、特開２００６−４４８６号公報段落【０１４０】〜【０１４１】「これに対して、グラフィック・オブジェクトは、（初期）表示アスペクト比が“１６：９”かつ（現在）表示モードが“ｗｉｄｅ”のときはフラッシュ＃10を同期再生し（図３２の９３２参照）、（初期）表示アスペクト比が“４：３”かつ（現在）表示モードが“ｌｂ”のときはフラッシュ＃11を同期再生し（図３３の９４２参照）、（初期）表示アスペクト比が“４：３”かつ（現在）表示モードが“ｐｓ”のときはフラッシュ＃12を同期再生する（図３４の９５２参照）。・・・中略・・・また、画面の構成に応じて、グラフィック・オブジェクトのサイズを小さくしたり、または大きくしたり、グラフィック・オブジェクト内の文字のサイズを小さく、または大きくすることが可能になる。これにより、ＤＶＤビデオコンテンツの表示状態に応じたグラフィック・オブジェクトの表示を行うことが可能になる。」の記載、図３２、図３４、参照。）でもある。
　そして、引用発明は、「例えば、タッチパネル１４での検出座標値をもとに」「プログラム起動などの制御をするために、グラフィックＬＳＩ１８を駆動する機能を有し」、「予定外のコマンドを起動したりすることがないよう」するものであるから、「Ｒ、Ｇ、Ｂ信号の映像」にコマンド起動等の操作をユーザに提供するための操作画像データを含むことが示されているといえる。
　したがって、引用発明において、上記引用文献２記載の技術や周知技術を適用し、「Ｒ、Ｇ、Ｂ信号の映像」を、動画像データと動画像データに対する各種処理操作をユーザに提供するための操作画像データとを含む第１の表示画像データとすることは、当業者が容易になし得ることである。
　　　
・相違点（２）について
　画像表示装置において、画像データを画面に拡大（ワイド）表示する際に、高解像度の画像データにすることは、本願出願日前周知の技術（例えば、上記特開平１０−１２４０２１号公報段落【００２２】「制御部１２は、各機能回路部に対する所要の制御動作を実行する。この場合、制御部１２はマルチメディアに対応する構成が採られているものとされ、例えば映像信号処理、音声信号処理及び通信機能に関する制御処理に適合するように構築されている。また、本実施の形態においてはビデオプロセッサ１１を制御することにより、後述するようにしてアスペクト比４：３に対応する解像度とアスペクト比１６：９に対応する解像度との設定切換えを実行可能に構成されている。」、段落【００２８】〜【００３１】「＜３．本実施の形態におけるワイドモード設定例＞　次に、図４〜図６を参照して、本実施の形態のワイドモード設定例について説明する。本実施の形態のセットトップボックス１においては、前述したようにアスペクト比切換スイッチ２０によって、４：３のアスペクト比に対応する解像度（水平画素数×垂直画素数）に基づくＲＧＢ信号出力を行うノーマルモードと、１６：９のアスペクト比に対応する解像度（水平画素数×垂直画素数）に基づくＲＧＢ信号出力を行うワイドモードとの切換えが可能とされる。ところで、以降の説明に関わるセットトップボックス１のグラフィク表示規格であるが、ノーマルモード（アスペクト比４：３に対応）については、従前からよく知られているＶＧＡ(Video Graphic Array) 及びＳＶＧＡ(Super-VGA) を採用しているものとする。そして、本実施の形態の特徴となるワイドモード（アスペクト比１６：９に対応）については、後述するように、ＶＧＡよりも高解像度を有するものとして規定されたＳＶＧＡに基づいて、アスペクト比１６：９に対応する解像度設定を行うものとされる。【００２９】図４は、本実施の形態におけるノーマルモードとワイドモードの仕様を示すものである。ここでは、ノーマルモードとして、ＶＧＡ：６４０×４８０（＝水平画素数×垂直画素数）と、ＳＶＧＡ：８００×６００が挙げられている。そして、ＶＧＡ：６４０×４８０の仕様としては、画素周波数：２５．１２５ＭＨｚ、水平走査周波数：３１．４６８８ＫＨｚ，垂直走査周波数：５９．４９０５Ｈｚとされている。また、ＳＶＧＡ：８００×６００の仕様としては、画素周波数：４９．５００ＭＨｚ、水平走査周波数：４６．８７５ＫＨｚ，垂直走査周波数：７５．０００Ｈｚとされている。・・・中略・・・ＷＩＤＥ−１：８４８×４８０とＶＧＡ：６４０×４８０の組と、ＷＩＤＥ−２：１０６０×６００とＳＶＧＡ：８００×６００の組とで、それぞれ垂直解像度（垂直画素数）が同一とされている。つまり、ＷＩＤＥ−１：８４８×４８０は、ＶＧＡ：６４０×４８０と同レベルの解像度を有したうえで１６：９に対応して水平画素数を拡張し、ＷＩＤＥ−２：１０６０×６００は、ＳＶＧＡ：８００×６００と同レベルの解像度を有したうえで、１６：９に対応して水平画素数を拡張したものとされる。」の記載、特開２００８−１９９１１１号公報段落【００７８】「映像ソースに基づいて受信する映像サイズを制御する方法としては、例えば、以下のような方法を用い��ことができる。携帯電話の表示画面がＶＧＡである場合で、１セグ放送で得られている視聴映像のサイズが３２０×２４０（４：３）である場合、映像を表示させるエリアサイズは、縦方向視聴（映像＋データ放送）の場合には３６０×２７０、横方向（全画面）視聴（映像のみ）の場合には６４０×４８０となるため、映像の送信要求時（図４のＳ７もしくはＳ１１）に、そのサイズ情報を使用して要求を行う。同様に１セグ放送で得られている視聴映像のサイズが３２０×１８０（１６：９）である場合には、縦方向視聴の場合４８０×２７０、横方向視聴の場合６４０×３６０というサイズ情報を使用して要求を行う。」の記載、特開２００５−１９８０２７号公報段落【００１０】「上記のような装置で、低解像度・高圧縮率で圧縮された画像を高解像度の表示全画面表示する場合に、表示部の画素数と同一画素数になるように、復号画像の拡大処理を行う」の記載参照。）である。
　したがって、上記周知技術を考慮すれば、引用発明の「フレームメモリ２２から読み出されたＲ、Ｇ、Ｂ信号に対して、倍率情報ＢＲに基づく線形補間方式を用いて、３ライン分の水平映像信号から４ライン分の水平映像信号を生成、すなわち書込み映像を垂直方向に４／３倍に拡大」する処理を、高解像度化する画像処理とすることは、当業者であれば困難性は認められない。
　　　　
　そして、本願発明の作用効果も、引用発明、引用文献２記載の技術及び周知技術から、当業者であれば予想できる範囲内のものである。　　　
　　　
第５　むすび
　以上のとおり、本願発明は、引用発明、引用文献２記載の技術及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。